(57)【要約】【課題】貯湯運転と給湯運転の同時運転時は沸き上げ状態を変え、例えば、沸き上げ温度を貯湯運転のみの沸き上げ温度以下に制御しているので、ＣＯＰが高く、さらに沸き上げ能力も高くなり、湯切れを防止できる。【解決手段】圧縮機１１、給湯用熱交換器１２、膨張弁１３、及び蒸発器１４を配管で接続したヒートポンプサイクル１０とヒートポンプサイクル１０を用いて加熱された液体を蓄える貯湯タンク２１を備え、貯湯運転と給湯運転の同時運転の場合、貯湯タンク２１に沸き上げる状態を可変する沸き上げ状態可変手段７３を備え、沸き上げ温度をヒートポンプサイクルの最大沸き上げ能力に調節しているので、ＣＯＰが高く、さらに沸き上げ能力も高くなり、湯切れを防止できる。【選択図】図１
2006078041.tif 000002
【特許請求の範囲】
【請求項１】
圧縮機、給湯用熱交換器、膨張弁、及び蒸発器を配管で接続したヒートポンプサイクルと、前記ヒートポンプサイクルを用いて加熱された液体を蓄える貯湯タンクと、貯湯運転と給湯運転の同時運転時に沸き上げ温度と沸き上げ能力とを調節する沸き上げ状態可変手段とを備えるヒートポンプ給湯装置。
【請求項２】
前記沸き上げ状態可変手段は、沸き上げ能力と沸き上げ温度を給湯負荷に応じて調節することを特徴とする請求項１記載のヒートポンプ給湯装置。
【請求項３】
前記沸き上げ状態可変手段は、沸き上げ能力と沸き上げ温度を前記貯湯タンクの残湯量に応じて調節することを特徴とする請求項１記載のヒートポンプ給湯装置。
【請求項４】
前記沸き上げ状態可変手段は、貯湯運転と給湯運転の同時運転開始時に沸き上げ能力を前記ヒートポンプサイクルの最大沸き上げ能力に調節することを特徴とする請求項２または３に記載のヒートポンプ給湯装置。
【請求項５】
前記沸き上げ状態可変手段は、貯湯運転と給湯運転の同時運転開始時に沸き上げ能力を給湯負荷に調節することを特徴とする請求項２または３に記載のヒートポンプ給湯装置。
【請求項６】
前記沸き上げ状態可変手段は、沸き上げ温度を貯湯運転開始時の沸き上げ温度以下となるように調節することを特徴とする請求項２または３に記載のヒートポンプ給湯装置。
【請求項７】
前記沸き上げ状態可変手段は、前記沸き上げ温度を前記ヒートポンプサイクルの最大ＣＯＰが得られる温度に調節することを特徴とする請求項２または３に記載のヒートポンプ給湯装置。
【請求項８】
前記ヒートポンプサイクルを複数備えた請求項１〜７のいずれか１項に記載のヒートポンプ給湯装置。
【請求項９】
前記ヒートポンプサイクルに用いる冷媒を二酸化炭素とし、高圧側では臨界圧を越える状態で運転する請求項１〜８のいずれか１項に記載のヒートポンプ給湯装置。
【発明の詳細な説明】
【技術分野】
【０００１】
本発明は、貯湯タンクを備え、貯湯運転と給湯運転の同時運転が可能なヒートポンプ給湯装置に関するものである。
【背景技術】
【０００２】
従来から、種々のヒートポンプサイクルを利用した給湯装置が提案されている。この装置において、貯湯タンクに沸き上げる制御方法として、貯湯タンク内の残湯量を検出してヒートポンプサイクルの加熱能力を可変させ、残湯量が多く短時間で沸き上げる必要がない場合に、ヒートポンプサイクルの加熱能力を小さくすることにより、運転音の低減を図る方法が提案されている（例えば特許文献１参照）。
【０００３】
図３は前記公報に記載された従来のヒートポンプ給湯装置の沸き上げ制御を示すフローチャートである。図３において、まず、沸き上げ制御をスタートすると（Ｓ１）、制御部が通電時間帯を検出し（Ｓ２）、夜間時間帯か否か判別され、夜間時間帯の場合は（Ｓ３）、貯湯タンクに備え付けられた温度センサの検出温度から貯湯タンク内の残湯量の多少を検出し（Ｓ４）、そして、制御部で温度センサＢの検出温度から該残湯量が１５０Ｌ以下か否かが判断される（Ｓ５）。ここで、残湯量が１５０Ｌ以上と判断された場合は、該残湯量が２００Ｌ以下か否か判断される（Ｓ６）。
【０００４】
残湯量が２００Ｌ以上であれば、沸き上げを行わず、通電時間帯検出に戻る（Ｓ２）。残湯量が１５０Ｌ以下の場合は残湯量が少ないと判断し、制御部はヒートポンプサイクルの加熱能力を大きく設定して、加熱能力５．０ｋＷで運転する（Ｓ７）。残湯量が１５０Ｌ以上で２００Ｌ以下の場合は残湯量が多いと判断し、制御部はヒートポンプサイクルの加熱能力を小さく設定して、加熱能力４．５ｋＷで沸き上げを開始する（Ｓ８）。
【０００５】
制御部の指示で、循環ポンプ、およびヒートポンプサイクルを運転してヒートポンプ本体の加熱動作を開始し、貯湯タンク上部より沸き上げる（Ｓ９）。そして、温度センサＡによる検出温度が、操作部で設定された沸き上げ温度Ｔ℃（例えば９０℃）に達したか否か判断され（Ｓ１０）、温度センサＡが沸き上げ温度Ｔ℃を検出すると、ヒートポンプ本体の加熱動作を停止して（Ｓ１１）、沸き上げ制御を終了する（Ｓ１２）。
【特許文献１】特開２００３−９０６０６号公報
【発明の開示】
【発明が解決しようとする課題】
【０００６】
しかしながら、前記従来の構成では、貯湯タンク内の残湯量に応じてヒートポンプサイクルの沸き上げ能力を可変させるのみで、沸き上げ温度を可変させていない。
【０００７】
特に、ヒートポンプ給湯装置が貯湯運転と給湯運転とを同時に行っているときに、沸き上げ能力を可変させるのみで沸き上げ温度が一定であると、ＣＯＰが低下し、湯切れが発生しやすくなる。
【０００８】
本発明は、上記従来の課題を解決するもので、貯湯タンクを備え、貯湯運転と給湯運転の同時運転が可能なヒートポンプ給湯装置であって、貯湯運転と給湯運転の同時運転時は沸き上げ温度を変え、例えば、沸き上げ温度を貯湯運転のみの沸き上げ温度より下げる制御を行っているので、ＣＯＰが高く、さらに沸き上げ能力も高くなり、湯切れの発生を抑制するヒートポンプ給湯装置を提供することを目的とする。特に、貯湯タンクの容量が例えば８０リットルと小容量の場合でも湯切れを防止できる。
【課題を解決するための手段】
【０００９】
前記従来の課題を解決するために、本発明のヒートポンプ給湯装置は、貯湯運転と給湯運転の同時運転時に沸き上げ温度を調節する沸き上げ状態可変手段を備えている。
【００１０】
これによって、貯湯運転と給湯運転の同時運転時は沸き上げ状態を変え、例えば、沸き上げ温度を貯湯運転のみの沸き上げ温度より下げる制御を行っているので、ＣＯＰが高く、さらに沸き上げ能力も高くなり、湯切れを防止できる。
【発明の効果】
【００１１】
本発明のヒートポンプ給湯装置は、貯湯運転と給湯運転の同時運転時は沸き上げ温度を調節し、例えば、沸き上げ温度を貯湯運転のみの沸き上げ温度より下げる制御を行っているので、ＣＯＰが高く、さらに沸き上げ能力も高くなり、湯切れを防止できる。
【発明を実施するための最良の形態】
【００１２】
第１の発明は、圧縮機、給湯用熱交換器、膨張弁、及び蒸発器を配管で接続したヒートポンプサイクルと、前記ヒートポンプサイクルを用いて加熱された液体を蓄える貯湯タンクと、貯湯運転と給湯運転の同時運転時に沸き上げ温度と沸き上げ能力とを調節する沸き上げ状態可変手段とを備えるものである。
【００１３】
従って、貯湯運転と給湯運転の同時運転の場合、貯湯タンクに沸き上げる状態を可変する沸き上げ状態可変手段を備えているので、ＣＯＰが高くなる。また、沸き上げ温度を調節してより多量の湯が生成できるようになるので、沸き上げ能力が高くなり、湯切れを防止できる。
【００１４】
第２の発明は、特に第１の発明のヒートポンプ給湯装置において、沸き上げ状態可変手段は、沸き上げ能力と沸き上げ温度を給湯負荷に応じて調節するものである。
【００１５】
従って、貯湯運転と給湯運転の同時運転の場合、貯湯タンクに沸き上げる能力を給湯負荷に応じて適正な沸き上げ能力に制御できるので、ＣＯＰが高く、湯切れを防止できる。また、必要最低限の電力を湯を沸かすため、余計な電気代も軽減される。
【００１６】
第３の発明は、特に第１の発明のヒートポンプ給湯装置において、沸き上げ状態可変手段は、沸き上げ能力と沸き上げ温度を前記貯湯タンクの残湯量に応じて調節するものである。
【００１７】
従って、貯湯運転と給湯運転の同時運転の場合、貯湯タンクに沸き上げる能力を貯湯タンクの残湯量に応じて適正な沸き上げ能力に制御できるので、湯切れを防止できる。
【００１８】
第４の発明は、特に第２または第３の発明のヒートポンプ給湯装置において、沸き上げ状態可変手段は、貯湯運転と給湯運転の同時運転開始時に沸き上げ能力を前記ヒートポンプサイクルの最大沸き上げ能力に調節するものである。
【００１９】
従って、貯湯運転と給湯運転の同時運転の場合、貯湯タンクに沸き上げる能力を貯湯運転のみの沸き上げ能力以上に制御しているので、沸き上げ能力が高くなり、湯を大量に生成でき、湯切れを防止できる。
【００２０】
第５の発明は、特に第２または第３の発明のヒートポンプ給湯装置において、沸き上げ状態可変手段は、貯湯運転と給湯運転の同時運転開始時に沸き上げ能力を給湯負荷に調節するものである。
【００２１】
従って、貯湯運転と給湯運転の同時運転の場合、貯湯タンクに沸き上げる能力を貯湯運転のみの沸き上げ能力以上に制御しているので、沸き上げ能力が高くなり、湯切れを防止できる。
【００２２】
第６の発明は、特に第２または第３の発明のヒートポンプ給湯装置において、沸き上げ状態可変手段は、沸き上げ温度を貯湯運転開始時の沸き上げ温度以下となるように調節するものである。
【００２３】
従って、貯湯運転と給湯運転の同時運転の場合、ＣＯＰが高く、さらに沸き上げ能力も高くなり、湯切れを防止できる。
【００２４】
第７の発明は、特に第２または第３の発明のヒートポンプ給湯装置において、沸き上げ状態可変手段は、前記沸き上げ温度を前記ヒートポンプサイクルの最大ＣＯＰが得られる温度に調節するものである。
【００２５】
従って、貯湯運転と給湯運転の同時運転の場合、貯湯タンクに沸き上げる温度を最大ＣＯＰとなる温度に制御しているので、高ＣＯＰ運転ができる。
【００２６】
第８の発明は、特に、第１〜７のいずれか一つの発明において、ヒートポンプサイクルを複数備えている。
【００２７】
従って、沸き上げ能力に応じてヒートポンプサイクルの運転台数を切り換え、幅広い能力において効率の良い運転が可能となる。
【００２８】
第９の発明は、特に、第１〜８のいずれか一つの発明において、ヒートポンプサイクルに用いる冷媒を二酸化炭素とし、高圧側では臨界圧を越える状態で運転している。
【００２９】
従って、高温の湯を生成することができ、また貯湯タンクを併用する場合には高温の湯を貯湯できるので貯湯タンクを小型化できる。
【００３０】
以下、本発明の実施の形態について、図面を参照しながら説明する。なお、本実施の形態によって本発明が限定されるものではない。
【００３１】
（実施の形態１）
図１は、本発明の第１の実施の形態におけるヒートポンプ給湯装置の回路構成図である。図２は、本発明の第１の実施の形態におけるヒートポンプ給湯装置の運転制御のフローチャートである。
【００３２】
図１において、本発明の第１の実施の形態におけるヒートポンプ給湯装置の冷凍回路について説明する。
【００３３】
ヒートポンプサイクル１０は、圧縮機１１、給湯用熱交換器１２、膨張弁１３、及び蒸発器１４を順に配管で接続して構成されている。また、ヒートポンプサイクル１０は、給湯用熱交換器１２をバイパスするバイパス回路１５を備え、このバイパス回路１５には制御弁１６を設けている。また、ヒートポンプサイクル１０に対応する蒸発器１４に送風するためのファン１７を設けている。
【００３４】
本実施例によるヒートポンプ給湯装置は、二酸化炭素を冷媒として用い、高圧側では臨界圧を越える状態で運転することが好ましい。
【００３５】
次に、本発明の第１の実施の形態におけるヒートポンプ給湯装置の出湯回路について説明する。
【００３６】
貯湯タンク２１の第一底部配管２２は、減圧弁２３を介して水道管等の水供給配管２４に接続されている。また、貯湯タンク２１の第一底部配管２２から分岐させた出水用配管２５の一方は、逆止弁２６を介して第一混合弁２７に接続され、他方は、逆止弁２８を介して第二混合弁２９に接続されている。また、貯湯タンク２１の第一上部配管３０の一方は、逆止弁３１を介し第一混合弁２７に接続され、他方は、第二混合弁２９に接続されている。
【００３７】
出水用配管２５と貯湯タンク２１の第一上部配管３０は、それぞれ逆止弁２６、および逆止弁３１を介し、第一混合弁２７で混合されキッチン、又は洗面所等の給湯用の蛇口３２に接続されている。この出湯回路には、キッチン、又は洗面所等の給湯用の蛇口３２の流量を検出する流量センサ３３を備えている。
【００３８】
次に、本発明の第１の実施の形態におけるヒートポンプ給湯装置の貯湯回路について説明する。
【００３９】
貯湯タンク２１の第二底部配管３４は、第一循環ポンプ３５を介して給湯用熱交換器１２の水用配管１２Ａの流入側と接続されている。また、貯湯タンク２１の第二上部配管３６は、三方弁３７を介して給湯用熱交換器１２も水用配管１２Ａの流出側と接続されている。
【００４０】
また、給湯用熱交換器１２も水用配管１２Ａの入口側には、入水温度センサ１２Ｂ、出口側には、出湯温度センサ１２Ｃを設置している。また、貯湯タンク２１の第三底部配管３８は、三方弁３７に接続されている。貯湯タンク２１には、残湯量センサ２１Ａおよび２１Ｂを設置している。なお、本実施例では、残湯量センサ２１Ａを貯湯タンク内２１の中間に設け、貯湯タンク内２１の中間に位置する湯温を検知できる。そして、残湯量センサ２１Ａが所定温度（例えば６５度）を下回ったとき、湯の残湯量を少ないと判断する。
【００４１】
また、本発明の実施例による貯湯タンク２１は、積層式の貯湯タンクであり、タンク内での撹拌が防止され、上部に高温水が底部に低温水が蓄積されるように構成されている。
【００４２】
次に、本発明の第１の実施の形態におけるヒートポンプ給湯装置の風呂加熱回路について説明する。
【００４３】
貯湯タンク２１の第四底部配管４１は、第二循環ポンプ４２、風呂用熱交換器４３の第一水用配管４３Ａを介し、貯湯タンク２１の第三上部配管４４と接続されている。
【００４４】
風呂用熱交換器４３の第二水用配管４３Ｂは、第三循環ポンプ５１を備えた浴槽用循環配管５２と接続されている。また、風呂の湯量を検出するために、浴槽５０と循環ポンプ５１の間に水位センサ５３を備えている。
【００４５】
なお、浴槽５０への注湯は、第二混合弁２９の下流側配管に接続した注湯用配管６１を用いて行うことができる。この注湯用配管６１は、浴槽用循環配管５２に接続している。
【００４６】
注湯用配管６１には、注湯弁６２が設けられている。この注湯回路には、浴槽５０への注湯流量を検出する流量センサ６３を備えている。
【００４７】
リモコン７１は、蛇口３２からの出湯温度の指示や、浴槽５０の沸き上げ温度及び沸き上げ開始などを指示し、このリモコン７１からの指示に基づいてヒートポンプサイクル１０とを制御手段７２にて制御する。制御手段７２には、沸き上げ状態可変手段７３が含まれている。なお各種のセンサの検出値はこの制御手段７２に入力されると共に、沸き上げ状態可変手段７３は圧縮機１１、膨張弁１３、ファン１７の制御に関して、この制御手段７２から出力された結果と入水温度センサ１２Ｂ、出湯温度センサ１２Ｃの検出結果に基づいて制御を行う。
【００４８】
次に、本発明の第１の実施の形態におけるヒートポンプ給湯装置の貯湯運転動作について説明する。
【００４９】
貯湯運転とは、給湯用熱交換器１２で放熱された熱により加熱された湯を貯湯タンク２１に流入させることである。以下に具体的な説明を行う。
【００５０】
まず、貯湯タンク２１に設置している残湯センサ２１Ａにて残湯量が少ないと判断すると、ヒートポンプサイクル１０が運転を開始する。
【００５１】
圧縮機１１で圧縮された冷媒は、給湯用熱交換器１２で放熱し、膨張弁１３で減圧された後、蒸発器１４にて吸熱し、ガス状態で圧縮機１１に吸入される。このとき、制御弁１６は閉状態で、バイパス回路１５には冷媒は流れない。
【００５２】
第一循環ポンプ３５により貯湯タンク２１からの水は、貯湯タンク２１の第二底部配管３４を通り、給湯用熱交換器１２の水用配管１２Ａに導かれ、三方弁３７を介し、貯湯タンク２１に流入する。三方弁３７において、貯湯タンク２１の第二上部配管３６に接続するか、貯湯タンク２１の第三底部配管３８に接続するかの判断は、給湯用熱交換器１２の水用配管１２Ａの出口側に設置している出湯温度センサ１２Ｃの温度によって行う。
【００５３】
次に、本発明の第１の実施の形態におけるヒートポンプ給湯装置の給湯運転動作について説明する。
【００５４】
給湯運転とは、使用者の要求によって、例えば蛇口３２から湯を供給することである。以下に具体的な説明を示すと、蛇口３２を開放すると、貯湯タンク２１に貯湯された湯は、貯湯タンク２１の第一上部配管３０、逆止弁３１を通り第一混合弁２７の一方に導かれ、水道等の水は、水道管等の水供給配管２４、減圧弁２３、出水用配管２５、逆止弁２６を介して第一混合弁２７の他方に導かれて混合され、蛇口３２に導かれる。また、蛇口３２が開放されるとき以外にも、浴槽５０に湯をはる要求がなされたときには、第二混合弁２７を介して貯湯タンク２１に貯湯された湯と水道水が混合され、浴槽５０に出湯される。
【００５５】
なお、本実施例のヒートポンプ給湯装置は、上記説明した貯湯運転と給湯運転を同時に行えるものとする。
【００５６】
次に、本発明の第１の形態におけるヒートポンプ給湯装置の運転制御に関して図２のフローチャートで説明する。
【００５７】
まず、貯湯タンク２１に設置している残湯センサ２１Ａにて残湯量を検出する（ステップ１）。そして、残湯量が少ないと判断されると、ヒートポンプサイクル１０が運転を開始し、圧縮機１１の運転がスタートする（ステップ２）。
【００５８】
この時、予め定められた沸き上げ能力（要求能力）と沸き上げ温度とにより運転を開始する。ここで沸き上げ能力とは、貯湯回路側、すなわち給湯用熱交換器１２の水用配管１２Ａの湯水の流量と、入水温度センサ１２Ｂ、出湯温度センサ１２Ｃにより検出される給湯用熱交換器１２の入口側と出口側における湯水の温度差とにより求められるものである。従って、沸き上げ能力は、ヒートポンプサイクル側から貯湯回路側へ与えられる単位時間当たりの熱量に相当する。したがって、沸き上げ能力が高いほど、単位時間当たりにある一定温度の湯を多量に生成できる。
【００５９】
また、沸き上げ温度とは、出湯温度センサ１２Ｃを流れる湯水に対して求められる設定温度のことであり、また貯湯タンク２１へ注がれる湯の設定温度のことである。
【００６０】
沸き上げ能力と沸き上げ温度の調整は、沸き上げ状態可変手段７３によって行われる。すなわち、沸き上げ状態可変手段７３は、出湯温度センサ１２Ｃが沸き上げ温度を検出し、所定の沸き上げ能力となるように、圧縮機１１の運転周波数、膨張弁１３の開度、第一循環ポンプ３５の流量を設定する。例えば沸き上げ能力が６ｋＷとなるように圧縮機１１の運転周波数（例えば６６Ｈｚ）を設定し運転を開始する。
次に、貯湯運転と給湯運転が同時運転しているかを判断する（ステップ３）。貯湯運転と給湯運転の同時運転である場合、リモコン７１の設定温度と入水温度センサ１２Ｂによる入水温度および流量センサ３３による流量から給湯負荷が算出される（ステップ４）
次に、給湯負荷とヒートポンプサイクル１０の最大沸き上げ能力を比較し、給湯負荷が最大沸き上げ能力（例えば、１０ｋＷ）未満であるかを判断する（ステップ５）。
【００６１】
もし、ステップ５において、給湯負荷がヒートポンプサイクル１０の最大沸き上げ能力（１０ｋＷ）以上の場合、沸き上げ状態可変手段７３は、沸き上げ温度がリモコン７１により設定された設定温度となるように出し、かつヒートポンプサイクル１０の沸き上げ能力が最大（１０ｋＷ）となるように、圧縮機１１の運転周波数（例えば１１０Ｈｚ）、膨張弁１３の開度、第一循環ポンプ３５の流量を設定する（ステップ６）。
【００６２】
そして、ヒートポンプサイクル１０で沸き上げた低温（リモコン７１の設定温度）の温水と貯湯タンク２１内の高温の温水とが混合し、第一上部配管３０を経由し、第一混合弁２７で水と混合された上で給湯される。
【００６３】
以上から、ステップ６の処理によれば、沸き上げ能力を最大とし、かつ、あらかじめ設定された温度からリモコン７１により設定された設定温度に沸き上げ温度へ変更することにより、高ＣＯＰ運転が実現される。また、あらかじめ設定された温度とリモコン７１により設定された設定温度とを比較したとき、リモコン７１により設定された設定温度の方がより温度が低いため、より大量の湯を供給することができ、湯切れの発生を抑制することもできる。なお、ステップ６の制御において、沸き上げ温度はリモコン７１により設定された設定温度としたが、例えば最大ＣＯＰとなる温度にしても良い。
【００６４】
また、ステップ５において、給湯負荷が１０ｋＷ未満である場合、貯湯タンク２１の設置している残湯センサ２１Ｂにて残湯量が所定量（例えば、６０Ｌ）未満であるか判断する（ステップ７）。
【００６５】
ステップ７において残湯量が所定量（例えば６０Ｌ）未満である場合、沸き上げ状態可変手段７３は、沸き上げ能力が最大（１０ｋＷ）となるように、圧縮機１１の運転周波数（例えば１１０Ｈｚ）、膨張弁１３の開度、第一循環ポンプ３５の流量を設定する。このとき、沸き上げ温度は貯湯運転の沸き上げ温度を維持する（ステップ８）。
【００６６】
その結果、貯湯運転と給湯運転とが同時運転を行いながら、貯湯タンク２１の貯湯量を増加させることができ、湯切れを防止できる。
【００６７】
また、ステップ７において残湯量が所定量（例えば６０Ｌ）以上の場合、沸き上げ状態可変手段７３は、沸き上げ温度がリモコン７１により設定された設定温度となり、かつヒートポンプサイクル１０の沸き上げ能力が給湯負荷と同等となるように、圧縮機１１の運転周波数（例えば給湯負荷が５ｋＷの場合、５５Ｈｚ）、膨張弁１３の開度、第一循環ポンプ３５の流量を設定する（ステップ９）。なお、沸き上げ状態可変手段７３の設定は、出湯温度センサ１２Ｃがリモコン７１により設定された設定温度を検出するまで続けられる。
【００６８】
リモコン７１により設定された温度である温水は、三方弁３７、第二上部配管３６から貯湯タンク２１へ流れ、その直後に第一上部配管３０、逆止弁３１、第一混合弁２７を介して水と混合された上で蛇口３２から給湯される。
【００６９】
以上から、ステップ９の処理により、沸き上げ能力を給湯負荷に設定し、沸き上げ温度をあらかじめ設定されていた温度からリモコン７１により設定された設定温度に変更することにより、ヒートポンプサイクル１０で沸き上げた温水は貯湯タンク２１を経由して長時間貯えられることなく給湯され、高ＣＯＰ運転が実現できる。また、長時間貯えられることなく給湯されるため、貯湯タンク２１内の湯が減る程度を軽減できるので、湯切れの発生を抑制できる。さらに、より少ない電力で多量の湯が生成できるので、電気代が節約できる。
【００７０】
なお、ステップ９の制御において、沸き上げ温度はリモコン７１により設定された設定温度としたが、それ以外にも最大ＣＯＰとなる温度にしても良い。
【００７１】
本実施の形態のヒートポンプ給湯装置は、貯湯運転と給湯運転の同時運転時は沸き上げ状態を変え、例えば、沸き上げ温度を貯湯運転のみの沸き上げ温度以下に制御しているので、ＣＯＰが高く、沸き上げ能力も高くなる。また、湯を貯湯タンク２１に貯えながら、かつ湯を使用者に供給できるので、湯切れの発生を回避できる。
【００７２】
また、本実施の形態では冷媒として二酸化炭素を用いた場合で説明したが、冷媒としてＲ４１０Ａ冷媒やＨＣ冷媒などのその他の冷媒を用いてもよい。
【００７３】
また、本実施の形態では、ヒートポンプサイクル１０を備えたヒートポンプ給湯装置を用いて説明したが、２つ以上のヒートポンプサイクルを用いてもよい。
【００７４】
また、風呂用熱交換器４３を、例えば床暖房や温風機器などの暖房用熱交換器として利用することもできる。
【産業上の利用可能性】
【００７５】
以上のように、本発明にかかるヒートポンプ給湯装置は、貯湯運転と給湯運転の同時運転時は沸き上げ能力や沸き上げ温度を変えることにより、ＣＯＰが高く、さらに沸き上げ能力も高くなり、湯切れを防止できるので、温水を用いた暖房等の安全性改善の用途にも適用できる。
【図面の簡単な説明】
【００７６】
【図１】本発明の実施の形態１におけるヒートポンプ給湯装置の回路構成図
【図２】本発明の実施の形態１におけるヒートポンプ給湯装置の運転制御のフローチャート
【図３】従来のヒートポンプ給湯装置の沸き上げ制御を示すフローチャート
【符号の説明】
【００７７】
１０  ヒートポンプサイクル
１１  圧縮機
１２  給湯用熱交換器
１３  膨張弁
１４  蒸発器
２１  貯湯タンク
７３  沸き上げ状態可変手段
【図１】
2006078041.tif 000003
【図２】
2006078041.tif 000004
【図３】
2006078041.tif 000005